【手続補正書】
【提出日】平成16年7月29日(2004.7.29)
【手続補正１】
【補正対象書類名】明細書
【補正対象項目名】特許請求の範囲
【補正方法】変更
【補正の内容】
【特許請求の範囲】
【請求項１】
洗浄槽内に食器類の被洗浄物を収納し、該被洗浄物を洗剤レスによって洗浄する食器洗浄機であって、
外部からの水を電気分解する電気分解装置と、
該電気分解装置からの電気分解水を加熱して蒸気化するボイラと、
洗浄槽内に設けられた第１の噴射手段と、
該第１の噴射手段に着脱自在に接続され、蒸気化された電気分解水を前記第１の噴射手段を介して洗浄槽内の被洗浄物に噴射するための第２の噴射手段とを備え、
この第２の噴射手段を前記第１の噴射手段から取り外したとき、蒸気化された電気分解水を洗浄槽外の被洗浄物への噴射が可能になることを特徴とする食器洗浄機。
【請求項２】
洗浄槽内に食器類の被洗浄物を収納し、該被洗浄物を洗剤レスによって洗浄する食器洗浄機であって、
外部からの水を電気分解してアルカリ水と酸性水に分離する電気分解装置と、
該電気分解装置により分離されたアルカリ水又は酸性水を加熱して蒸気化するボイラと、
洗浄槽内に設けられた第１の噴射手段と、
該第１の噴射手段に着脱自在に接続され、蒸気化されたアルカリ水又は酸性水を前記第１の噴射手段を介して洗浄槽内の被洗浄物に噴射するための第２の噴射手段とを備え、
この第２の噴射手段を前記第１の噴射手段から取り外したとき、蒸気化されたアルカリ水又は酸性水を洗浄槽外の被洗浄物への噴射が可能になることを特徴とする食器洗浄機。
【請求項３】
洗浄槽内に食器類の被洗浄物を収納し、該被洗浄物を洗剤レスによって洗浄する食器洗浄機であって、
外部からの水を電気分解する電気分解装置と、
該電気分解装置からの電気分解水を加熱して蒸気化するボイラと、
洗浄槽内に設けられた第１の噴射手段と、
洗浄機本体外に設けられた第２の噴射手段と、
前記ボイラにより蒸気化された電気分解水を第１の噴射手段又は第２の噴射手段の何れか一方に送出する経路切換手段とを備え、
この経路切換手段により、蒸気化された電気分解水が第２の噴射手段に流入したとき、洗浄槽外の被洗浄物への噴射が可能になることを特徴とする食器洗浄機。
【請求項４】
洗浄槽内に食器類の被洗浄物を収納し、該被洗浄物を洗剤レスによって洗浄する食器洗浄機であって、
外部からの水を電気分解してアルカリ水と酸性水に分離する電気分解装置と、
該電気分解装置により分離されたアルカリ水又は酸性水を加熱して蒸気化するボイラと、
洗浄槽内に設けられた第１の噴射手段と、
洗浄機本体外に設けられた第２の噴射手段と、
前記ボイラにより蒸気化されたアルカリ水又は酸性水を第１の噴射手段又は第２の噴射手段の何れか一方に送出する経路切換手段とを備え、
この経路切換手段により、蒸気化されたアルカリ水又は酸性水が第２の噴射手段に流入したとき、洗浄槽外の被洗浄物への噴射が可能になることを特徴とする食器洗浄機。
【請求項５】
前記電気分解装置に印加する直流電圧の極性を反転する極性切換手段を有する直流電気発生装置が設けられ、前記電気分解装置は、直流電気発生装置から供給された直流電圧の極性に応じてアルカリ水と酸性水とを生成し、このアルカリ水又は酸性水の何れか一方をボイラに送出し、他方を洗浄槽内に送出することを特徴とする請求項２又は４の何れかに記載の食器洗浄機。
【請求項６】
洗浄機本体に分解水タンクが設けられ、前記電気分解装置は、直流電気発生装置から供給された直流電圧の極性に応じてアルカリ水と酸性水とを生成し、このアルカリ水又は酸性水の何れか一方をボイラに送出し、他方を前記分解水タンクに送出することを特徴とする請求項２又は４の何れかに記載の食器洗浄機。
【請求項７】
前記電気分解装置の上流側に設けられた第１の給水装置と、
洗浄槽の上流側に設けられた第２の給水装置と、
所定のキー操作を検知したとき、第１の給水装置の弁を開放して外部からの水を前記電気分解装置側に送出すると共に、第２の給水装置の弁を開放してその水を洗浄槽内に供給する給水制御手段と
を備えたことを特徴とする請求項１〜６の何れかに記載の食器洗浄機。
【請求項８】
前記電気分解装置の上流側に塩投入装置を設けたことを特徴とする請求項１〜７の何れかに記載の食器洗浄機。
【手続補正２】
【補正対象書類名】明細書
【補正対象項目名】０００５
【補正方法】変更
【補正の内容】
【０００５】
【課題を解決するための手段】
本発明の請求項１に係る食器洗浄機は、洗浄槽内に食器類の被洗浄物を収納し、その被洗浄物を洗剤レスによって洗浄する食器洗浄機であって、外部からの水を電気分解する電気分解装置と、電気分解装置からの電気分解水を加熱して蒸気化するボイラと、洗浄槽内に設けられた第１の噴射手段と、第１の噴射手段に着脱自在に接続され、蒸気化された電気分解水を第１の噴射手段を介して洗浄槽内の被洗浄物に噴射するための第２の噴射手段とを備え、この第２の噴射手段を第１の噴射手段から取り外したとき、蒸気化された電気分解水を洗浄槽外の被洗浄物への噴射が可能になる。
【手続補正３】
【補正対象書類名】明細書
【補正対象項目名】０００６
【補正方法】変更
【補正の内容】
【０００６】
本発明の請求項２に係る食器洗浄機は、洗浄槽内に食器類の被洗浄物を収納し、その被洗浄物を洗剤レスによって洗浄する食器洗浄機であって、外部からの水を電気分解してアルカリ水と酸性水に分離する電気分解装置と、電気分解装置により分離されたアルカリ水又は酸性水を加熱して蒸気化するボイラと、洗浄槽内に設けられた第１の噴射手段と、第１の噴射手段に着脱自在に接続され、蒸気化されたアルカリ水又は酸性水を第１の噴射手段を介して洗浄槽内の被洗浄物に噴射するための第２の噴射手段とを備え、この第２の噴射手段を第１の噴射手段から取り外したとき、蒸気化されたアルカリ水又は酸性水を洗浄槽外の被洗浄物への噴射が可能になる。
【手続補正４】
【補正対象書類名】明細書
【補正対象項目名】０００７
【補正方法】変更
【補正の内容】
【０００７】
本発明の請求項３に係る食器洗浄機は、洗浄槽内に食器類の被洗浄物を収納し、その被洗浄物を洗剤レスによって洗浄する食器洗浄機であって、外部からの水を電気分解する電気分解装置と、電気分解装置からの電気分解水を加熱して蒸気化するボイラと、洗浄槽内に設けられた第１の噴射手段と、洗浄機本体外に設けられた第２の噴射手段と、ボイラにより蒸気化された電気分解水を第１の噴射手段又は第２の噴射手段の何れか一方に送出する経路切換手段とを備え、この経路切換手段により、蒸気化された電気分解水が第２の噴射手段に流入したとき、洗浄槽外の被洗浄物への噴射が可能になる。
【手続補正５】
【補正対象書類名】明細書
【補正対象項目名】０００８
【補正方法】変更
【補正の内容】
【０００８】
本発明の請求項４に係る食器洗浄機は、洗浄槽内に食器類の被洗浄物を収納し、その被洗浄物を洗剤レスによって洗浄する食器洗浄機であって、外部からの水を電気分解してアルカリ水と酸性水に分離する電気分解装置と、電気分解装置により分離されたアルカリ水又は酸性水を加熱して蒸気化するボイラと、洗浄槽内に設けられた第１の噴射手段と、洗浄機本体外に設けられた第２の噴射手段と、ボイラにより蒸気化されたアルカリ水又は酸性水を第１の噴射手段又は第２の噴射手段の何れか一方に送出する経路切換手段とを備え、この経路切換手段により、蒸気化されたアルカリ水又は酸性水が第２の噴射手段に流入したとき、洗浄槽外の被洗浄物への噴射が可能になる。
【手続補正６】
【補正対象書類名】明細書
【補正対象項目名】０００９
【補正方法】変更
【補正の内容】
【０００９】
本発明の請求項５に係る食器洗浄機は、電気分解装置に印加する直流電圧の極性を反転する極性切換手段を有する直流電気発生装置が設けられ、電気分解装置は、直流電気発生装置から供給された直流電圧の極性に応じてアルカリ水と酸性水とを生成し、このアルカリ水又は酸性水の何れか一方をボイラに送出し、他方を洗浄槽内に送出する。
【手続補正７】
【補正対象書類名】明細書
【補正対象項目名】００１０
【補正方法】変更
【補正の内容】
【００１０】
本発明の請求項６に係る食器洗浄機は、洗浄機本体に分解水タンクが設けられ、電気分解装置は、直流電気発生装置から供給された直流電圧の極性に応じてアルカリ水と酸性水とを生成し、このアルカリ水又は酸性水の何れか一方をボイラに送出し、他方を分解水タンクに送出する。
【手続補正８】
【補正対象書類名】明細書
【補正対象項目名】００８５
【補正方法】変更
【補正の内容】
【００８５】
本発明の請求項３に係る食器洗浄機によれば、洗浄槽内に設けられた第１の噴射手段と、洗浄機本体外に設けられた第２の噴射手段と、ボイラにより蒸気化された電気分解水を第１の噴射手段又は第２の噴射手段の何れか一方に送出する経路切換手段とを設けたので、洗浄槽内の被洗浄物の他に、洗浄槽内で洗いたくない被洗浄物を洗浄することができるようになり、被洗浄物に付着したタンパク質や油脂などのひどい汚れでも除去できる。
【手続補正９】
【補正対象書類名】明細書
【補正対象項目名】００８６
【補正方法】変更
【補正の内容】
【００８６】
本発明の請求項４に係る食器洗浄機によれば、洗浄槽内に設けられた第１の噴射手段と、洗浄機本体外に設けられた第２の噴射手段と、ボイラにより蒸気化されたアルカリ水又は酸性水を第１の噴射手段又は第２の噴射手段の何れか一方に送出する経路切換手段とを設けたので、洗浄槽内の被洗浄物の他に、洗浄槽内で洗いたくない被洗浄物を洗浄することができるようになり、被洗浄物に付着したタンパク質や油脂などのひどい汚れでも除去できる。
【手続補正１０】
【補正対象書類名】明細書
【補正対象項目名】００８７
【補正方法】変更
【補正の内容】
【００８７】
本発明の請求項５に係る食器洗浄機によれば、電気分解装置に印加する直流電圧の極性を反転する極性切換手段を有する直流電気発生装置を設け、電気分解装置は、直流電気発生装置から供給された直流電圧の極性に応じてアルカリ水と酸性水とを生成し、このアルカリ水又は酸性水の何れか一方をボイラに送出し、他方を洗浄槽内に送出するようにしたので、洗浄槽内の被洗浄物や、洗浄槽内で洗いたくない被洗浄物などを洗浄することができるという効果に加えて、酸性水による漂白や殺菌も行うことができ、また、前述の如くアルカリ水と酸性水とを交互に吹き付けたときに中和するので、クリーンな水を排出できるという効果がある。
【手続補正１１】
【補正対象書類名】明細書
【補正対象項目名】００８８
【補正方法】変更
【補正の内容】
【００８８】
本発明の請求項６に係る食器洗浄機によれば、洗浄機本体に分解水タンクを設け、電気分解装置は、直流電気発生装置から供給された直流電圧の極性に応じてアルカリ水と酸性水とを生成し、このアルカリ水又は酸性水の何れか一方をボイラに送出し、他方を分解水タンクに送出するようにしたので、アルカリ水又は酸性水の何れか一方を蓄えられるようになり、アルカリ水を化粧水として、酸性水を殺菌・漂白剤として別の用途に使用できる。